(57)【要約】【課題】広告主から依頼された広告業務と、運送依頼主からの荷物運搬業務とが同時にできるトラックを提供する。【解決手段】広告パターンを車両外面に表示して走行すると共に、荷物を搭載して運搬するトラックである。荷台上に着脱自在に搭載固定可能な荷物収納ボックスと、前記荷物収納ボックスの外側に着脱自在となった状態で荷物収納ボックスを囲む宣伝用ボックスと、広告パターンが貼り付けられた透過性パネルを有し、前記宣伝用ボックスの少なくとも左右の側面に着脱自在に取り付けられると共に前記透過性パネルを光らせて宣伝する第１の宣伝パネルと、トラックの運転台の上部（前面部分）に設けられた透過性パネルを有すると共に前記透過性パネルを光らせて宣伝する第２の宣伝パネルと、前記荷物収納ボックスの左右の外面と第１宣伝パネルの内側との間に設けられた光源装置と、を少なくとも備える。【選択図】図１
0003153042.tif 000002
【実用新案登録請求の範囲】
【請求項１】
広告パターンを車両外面に表示して走行すると共に、荷物を搭載して運搬するトラックであって、
荷台上に着脱自在に搭載固定可能な荷物収納ボックスと、
前記荷物収納ボックスの外側に着脱自在となった状態で荷物収納ボックスを囲む宣伝用ボックスと、
広告パターンが貼り付けられた透過性パネルを有し、前記宣伝用ボックスの少なくとも左右の側面に着脱自在に取り付けられると共に前記透過性パネルを光らせて宣伝する第１の宣伝パネルと、
トラックの運転台の上部（前面部分）に設けられた透過性パネルを有すると共に前記透過性パネルを光らせて宣伝する第２の宣伝パネルと、
前記荷物収納ボックスの左右の外面と第１宣伝パネルの内側との間に設けられた光源装置と、を少なくとも備えることを特徴とする広告運搬トラック。
【請求項２】
前記荷物収納ボックスの後面に、出入扉が設けられており、前記出入口扉の外面に、透過性パネルを有すると共に前記透過性パネルを光らせて宣伝する第３の宣伝パネルと、を備えることを特徴とする請求項１記載の広告運搬トラック。
【請求項３】
前記荷物収納ボックスの外側と宣伝用ボックス内側の間における前記光源装置により加熱された空気の対流熱を防止するため、前記荷物収納ボックスの内側の各面に設けた熱伝導度の低い材料を張付けた熱遮断部材を備えていることを特徴とする請求項１又は２記載の広告運搬トラック。
【請求項４】
前記透過性パネルは、その表面にラッピング或は塗布印刷された透明或は半透明の樹脂板により形成されることを特徴とする請求項１又は２記載の広告運搬トラック。
【考案の詳細な説明】
【技術分野】
【０００１】
本考案は、広告主から依頼された広告パターンを車両外面表示し走行しながら広告を行なうばかりでなく、運送依頼主から依頼された荷物を運搬することが可能な広告運搬トラックに関する。
【背景技術】
【０００２】
移動広告用にトラックを広告専用車として使用することは、従来からなされていた。トラックの荷台に広告内容を表示したパネルを取りつけたものであり、パネル自体又は荷台上に配置した照明具によって広告画面の照明を行いながら、さらにスピーカからの音声をだしながら道路を走行して広告宣伝のみを行っていた（特許文献１参照）。
【０００３】
しかし、上記のような移動広告装置を搭載したトラックの広告専用車では、荷物を運搬することは考慮されていなかった。
【０００４】
そこで、移動広告装置をトラックから取り外し自在にして、その広告を行わない時はその移動広告装置を取り外しトラック上に荷物を搭載して利用率を向上するようにした（特許文献２参照）。
【０００５】
しかしながら、移動広告と荷物運搬を同時に行なえば、より利用率が向上することは明らかであり要望された。
【先行技術文献】
【特許文献】
【０００６】
【特許文献１】特開２００２−２９３２６号
【特許文献２】実用新案登録第３１４３６５０号
【考案の概要】
【考案が解決しようとする課題】
【０００７】
そこで、本考案は、広告主の依頼による走行移動広告と、運送依頼主による荷物運搬とが同時にできる運搬トラックを提供することを目的とする。
【課題を解決するための手段】
【０００８】
本考案の広告運搬トラックは、広告パターンを車両外面に表示して走行すると共に、荷物を搭載して運搬するトラックであって、荷台上に着脱自在に搭載固定可能な荷物収納ボックスと、前記荷物収納ボックスの外側に着脱自在となった状態で荷物収納ボックスを囲む宣伝用ボックスと、広告パターンが貼り付けられた透過性パネルを有し、前記宣伝用ボックスの少なくとも左右の側面に着脱自在に取り付けられると共に前記透過性パネルを光らせて宣伝する第１の宣伝パネルと、トラックの運転台の上部（前面部分）に設けられた透過性パネルを有すると共に前記透過性パネルを光らせて宣伝する第２の宣伝パネルと、前記荷物収納ボックスの左右の外面と第１宣伝パネルの内側との間に設けられた光源装置と、を少なくとも備えることを特徴とする。
【０００９】
また、前記荷物収納ボックスの後面に、出入扉が設けられており、前記出入口扉の外面に、透過性パネルを有すると共に前記透過性パネルを光らせて宣伝する第３の宣伝パネルと、を備えることを特徴とする。
【００１０】
また、前記荷物収納ボックスの外側と宣伝用ボックス内側の間における前記光源装置により加熱された空気の対流熱を防止するため、前記荷物収納ボックスの内側の各面に設けた熱伝導度の低い材料を張付けた熱遮断部材を備えていることを特徴とする。
【００１１】
また、前記透過性パネルは、その表面にラッピング或は塗布印刷された透明或は半透明の樹脂板により形成されることを特徴とする。
【考案の効果】
【００１２】
本考案の広告運搬トラックによれば、荷物収納ボックスの外側に、それを囲む宣伝用ボックスが設けられることにより、広告主からの広告依頼業務と、運送依頼主からの荷物運搬業務とを同時に行なうことができ、効率的となる。
【００１３】
また、宣伝用ボックス、宣伝パネルなどは、着脱自在に固定し、取り外し可能なので、取替え作業が効率的に行える。また、宣伝パネルの製作作業が無駄にならない。
【００１４】
荷物収納ボックス内部の各長方形枠に設けた熱遮断部材によりその収納ボックス内の荷物を前記光源装置の発生熱を遮断することができる。さらに熱伝導度の低い材料とするか、或は、その低い材料を多層に設ければ、荷物収納ボックス内部を容易に冷凍庫とすることができる。
【図面の簡単な説明】
【００１５】
【図１】広告運搬トラックの一実施例の斜視図である。
【図２】広告運搬トラックの構造図を示し、（ａ）は側面図、（ｂ）は平面図を示す。
【図３】広告運搬トラックの断面図である。
【図４】広告運搬トラックの断面である。
【考案を実施するための形態】
【００１６】
以下、本考案の実施の形態について図を用いて説明する。
図１，２，３は、広告運搬トラック１の一実施例を示す。ここで、２はトラック運転台、３はトラック荷台を示す。
【００１７】
図１は外観斜視図、図２（ａ）は図１の側面図、（ｂ）は図１の平面図、図３はｘ−ｘ線断面図を示す。
【００１８】
４は、立方体状の荷物収納ボックスを示す。必ずしも立方体でなくともよい。そのボックス４のフレームは、前面枠、左右側面枠、上面枠、出入口用の観音開き扉枠を形成している。その扉枠は図に示すようにその左右枠を回転支軸４ｘ，４ｘとして荷物出入用扉４ａ，４ａを形成する。
【００１９】
５は、荷物収納ボックス４を取り囲む宣伝用ボックスを示す。ここでは、荷物収納ボックス５の左右側面枠にそれぞれ宣伝用ボックス５が複数個の着脱自在の取り付けネジ５ａで固定される。
【００２０】
宣伝用ボックス５に取り付けられている２１は、透光性パネル（第１の宣伝パネル）であり、宣伝用ボックス５の方形状の枠に複数個の取り付けネジ２１ａで着脱自在に固定される（図３参照）。
また、宣伝用ボックス５に一対のガイド溝部材２１ｂを設けて、形成された溝間に透光性パネル２１の両端をスライドさせ挿入し固定してもよい（図４参照）。図４においては、宣伝用ボックス５に水平方向にスライドさせ挿入して透光性パネル２１が示されるが、垂直方向でもよい。
【００２１】
透光性パネル２１は、半透明又は透明の樹脂板表面に広告印刷物がラッピングされる。なお、透光性パネル２１の広告パターンは手書きされたものでもよく、直接印刷されたものでもよい。
【００２２】
荷物収納ボックス４と宣伝用ボックス５との間には、透光性パネル２１を内部から照明する為の光源装置２５が設置されている。その光源装置２５は、複数の発光ダイオード（ＬＥＤ）、蛍光灯、各種ランプ２３などの複数の照明ソケットとそれらを支持する支持枠からなる。
【００２３】
荷物収納ボックス４の内側には光源装置２５の空間の空気対流による加熱を遮断する熱伝導度の低い材料からなる熱遮断部材２２を貼り付けるか或はネジ留めする。なお、荷物収納ボックス４の外側には、光源装置２５の熱輻射線を反射させる金属の反射部材を設けてもよい。
【００２４】
なお、前記光源装置２５の空間内における照明による加熱空気を排気するため、宣伝用ボックス５の上部に空気取入口と空気排気口とを設けてもよい。さらに、強制排気のために排気ファンを設けても良い。
【００２５】
２７は光源装置２５への電力入力端子部、２８はトラック運転台２に設けた接続操作盤、２９は入力端子部２７と接続操作盤２８と接続する接続線を示す。
【００２６】
３０，３１は、トラック運転台２の前面窓、側面窓である。４０はトラック車輪、５０は荷物を示す。なお、トラック運転台２の上部にはアンドン部２ａがあり、そのアンドン部２ａ前面には透過性パネル２１（第２の宣伝パネル）が着脱自在にネジ留めされ、その後方にある複数のＬＥＤ２３などのソケットからなる光源装置２５が設けられ、アンドン部２ａの内部から前方に向かって光らせ、透光性パネル２１の広告パターンを表示する。
【００２７】
荷物収納ボックス４の中には、運搬すべき荷物５０を搭載して走行し、同時に広告表示をしながら、その荷物５０を所定の場所に運ぶことができる。すなわち、異なる業務を同時に果たせることができる。
【００２８】
図３は、トラック荷台３の断面図である。図２（ａ）側面図のｘ−ｘ断面図である。すなわち、走行方向に垂直な面の断面図である。
【００２９】
荷物５０の出し入れは観音開きの荷物出入用扉４ａ，４ａを図２（ｂ）に図示するようにそれぞれ開いて行う。荷物出入用扉４ａ，４ａは、それぞれその表面側に透光性パネル２１（第３の宣伝パネル）が設けられ、その内部にＬＥＤ２３などからなる光源装置２５を設けて、第３の宣伝パネル２１を光らせる。
【符号の説明】
【００３０】
１      広告運搬トラック
２      トラック運転台
２ａ      アンドン部
３      トラック荷台
４      荷物収納ボックス
４ａ    荷物出入用扉
４ｘ    観音開き扉回転軸
５      宣伝用ボックス
５ａ            取付ネジ
２１    透光性パネル（第１，２，３の宣伝パネル）
２１ａ  取付ネジ
２１ｂ    ガイド溝部材
２２    熱遮断部材
２３    発光ダイオード、ＬＥＤ、蛍光灯など
２５    光源装置
２７    入力端子部
２８    接続操作盤
２９    接続線
３０，３１  窓
４０    車輪
５０    荷物
【図１】
0003153042.tif 000003
【図２】
0003153042.tif 000004
【図３】
0003153042.tif 000005
【図４】
0003153042.tif 000006